(57)【要約】【課題】  紅茶やケーキなどを飲食しながら、四方の景色を楽しむことのできるカフェ装置が望まれている。【解決手段】  カフェ装置１は、床や地面などに立設される竪柱体３と、竪柱体３にその柱軸心回りに回動自在に設けられるとともに利用客が床や地面などから乗り込める高さ位置に配置された一階床部８Ａと、一階床部８Ａに駆動連結されて一階床部８Ａを竪柱体３の柱軸心回りに回転させる減速機付きモータと、一階床部８Ａに配備された飲食テーブル２３，２８，３２を備えている。また、竪柱体３の柱軸心回りに回動自在の二階床部６Ａが一階床部８Ａの上部に連結され、二階床部６Ａにもテーブルセット２０の飲食テーブルが配備されている。そして、給仕所３５が一階床部８Ａおよび二階床部６Ａに配備されている。【選択図】      図４
0003105584.tif 000002
【実用新案登録請求の範囲】
【請求項１】
床や地面などに立設される竪柱体と、竪柱体にその柱軸心回りに回動自在に設けられるとともに利用者が床や地面などから乗り込める高さ位置に配置された一階床部と、一階床部に駆動連結されて一階床部を竪柱体の柱軸心回りに回転させる回転駆動源と、一階床部に配備された飲食テーブルとを備えてなるカフェ装置。
【請求項２】
竪柱体の柱軸心回りに回動自在の二階床部を一階床部の上部に連結するとともに、二階床部に飲食テーブルを配備した請求項１に記載のカフェ装置。
【請求項３】
飲食物を提供する給仕所を一階床部または二階床部に配備した請求項１または請求項２に記載のカフェ装置。
【考案の詳細な説明】
【技術分野】
【０００１】
本考案は、紅茶やケーキなどを飲食しながら四方の景色を楽しめるカフェ店装置に関するものである。
【背景技術】
【０００２】
近年、飲食テーブルとイスを街路上に置いて飲食を楽しむ、いわゆるオープンカフェ店が流行している。かかるオープンカフェ店では、飲食テーブルとイスが路上に置かれてほとんど不動であるため、いったん席につくと目前の景色は変わることがなく面白味に欠けていた。また、一階の路上営業であるために、見晴らしの良さは期待できない。逆に言えば、遠方の路上からもオープンカフェ店を視認しにくく、シンボル的な待ち合わせ場所として適さなかった。
【０００３】
このようなカフェ店に関し、その運用システム、予約システム、料金精算システムなどの特許文献は数多く提案されている。しかしながら、カフェ店そのものに関する提案は少なく、例えば下記の特許文献１に記載された技術など数件である。
特許文献１記載のカフェ店は、建物内の部屋などに設営された無人営業店舗であり、店内には食器置きテーブル、飲食テーブルとイス、飲食物自動販売供給機、使用済み食器置場などが設置されている。このカフェ店は、利用客が店頭の入場券自動販売機で購入した入場券で自動ゲートを開いて店内に入り、飲食物自動販売供給機で所望の飲食物を購入して飲食したのちに、使用済み食器を専用置場に返却するセルフサービス方式を採用している。
【０００４】
【特許文献１】特開２００２−６３６３７号公報（段落番号〔００１２〕〜〔００１８〕、図１、図２）
【考案の開示】
【考案が解決しようとする課題】
【０００５】
ところが、前記文献１記載のカフェ店であっても、飲食テーブルとイスは店内に置かれてほぼ不動であるために目前の景色は変わらず、部屋の壁や仕切壁などに遮られて遠方を見渡すこともできなかったのである。
【０００６】
本考案は、上記した従来の問題点に鑑みてなされたものであって、紅茶やケーキなどを飲食しながら、四方の景色を楽しむことのできるカフェ店装置の提供を目的とする。
【課題を解決するための手段】
【０００７】
上記目的を達成するために、本考案に係るカフェ店装置は、床や地面などに立設される竪柱体と、竪柱体にその柱軸心回りに回動自在に設けられるとともに利用客が床や地面などから乗り込める高さ位置に配置された一階床部と、一階床部に駆動連結されて一階床部を竪柱体の柱軸心回りに回転させる回転駆動源と、一階床部に配備された飲食テーブルとを備えた構成にしてある。
【０００８】
また、上記構成において、竪柱体の柱軸心回りに回動自在の二階床部を一階床部の上部に連結するとともに、二階床部に飲食テーブルを配備したものである。
【０００９】
そして、上記した各構成において、飲食物を提供する給仕所を一階床部または二階床部に配備したものである。
【考案の効果】
【００１０】
本考案に係るカフェ店装置によれば、竪柱体の柱軸心回りに回転する一階床部に飲食テーブルが設けられているので、利用客は飲食テーブルで休憩をとることができる。また、一階床部はゆっくりと水平回転するので、利用客は飲食しながら、変化する四方の景色を楽しむことができる。
【００１１】
また、二階床部を設けた場合は展望がよく遠方まで見渡せるので、人ごみ中の相手でも簡単に見つけることができる。また、二階床部があると遠くから目立つので、人の多く集まる場所で格好の待ち合わせ場所となる。
【００１２】
そして、飲食物を提供する給仕所を一階床部または二階床部に配備した場合、利用客は飲食物購入のためにカフェ店装置から出入りしなくて済み、カフェ店装置内で飲食物を購入することができる。
【考案を実施するための最良の形態】
【００１３】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係るカフェ店装置の正面図、図２は前記カフェ店装置の内部構造を示す構成図、図３は前記カフェ店装置に用いた軸受部を示す一部断面を含む部分拡大図、図４は前記カフェ店装置の一階床部および二階床部を示す平面図である。
各図において、この実施形態に係るカフェ店装置１は、符号Ｇで示す床や地面などの上に設置される基盤部２と、基盤部２上に立設された竪柱体３を備えている。
【００１４】
竪柱体３の上部には、平面視放射状に配置された複数の横梁４５，４５，・・・の末端が固設されている。これらの横梁４５，４５，・・・は軸受部４を介して竪柱体３に水平回転自在に枢支されている。横梁４５，４５，・・・は、それぞれの先端に、竪柱体３の上部に連結されたワイヤ４６，４６，・・・の他端が連結されることによりほぼ水平向きに保持されている。竪柱体３の上部、横梁４５，４５，・・・、およびワイヤ４６，４６，・・・は、多数の電飾灯を備える電飾屋根１１で覆われている。横梁４５，４５，・・・下面の軸受部４の外方位置には、円筒状の壁板５が垂設されている。そして、壁板５下端の全周にわたり、円形リング状の床板６が取り付けられている。床板６の内周部には、周方向に適宜間隔で複数のコロ１４，１４，・・・が設けられている。床板６の外周部は、周方向に適宜間隔で配備されたワイヤなどの吊持材４７，４７，・・・を介して、横梁４５，４５，・・・に吊り持ちされている。この例では、壁板５、床板６、手摺り９、および吊持材４７から、二階床部６Ａが構成される。
【００１５】
竪柱体３は、下向きに広がる複数の支持脚１２，１２，・・・により垂直に保持されている。支持脚１２，１２，・・・の外周には平面視環状の周回レール１３が固設されている。この周回レール１３の外周面を床板６のコロ１４，１４，・・・が転動して床板６の回転を助ける。そして、床板６の下面に円筒状の壁板７が垂設されている。壁板７下端の全周にわたり、円形リング状の床板８が取り付けられている。床板８の外周縁部には、一端が横梁４５の先端に連結された金属パイプなどの吊持材１０の他端が連結されており、床板８をほぼ水平向きに保持するようになっている。この場合、壁板７、床板８、および吊持材１０から、一階床部８Ａが構成される。一階床部８Ａの床板８は利用客が床Ｇから支障なく乗り込むことのできる高さ位置に配置されている。また、一階床部８Ａと、一階床部８Ａの上部に配置された二階床部６Ａとの間は、これらをつなぐ階段１７，１７で行き来できるようになっている。
【００１６】
そして、竪柱体３の外径よりも大きなリング内径を有するリング部材１５（図３参照）が竪柱体３から離間してその外方を取り巻くように配置され、支持杆４８，４８，・・・を介して竪柱体３に保持固定されている。リング部材１５は上向きに突出した円筒部を備えている。そして、リング部材１５の円筒部の内周面には複数のボール保持穴４１，４１，・・・が周方向に適宜ピッチで形成されている。リング部材１５には、その上方からリング部材１６の下向きに突出した円筒部が差し込まれる。リング部材１６の円筒部の外周面には、リング部材１５のボール保持穴４１，４１，・・・と対面する位置に、それぞれボール保持穴４２，４２，・・・が形成されている。そして、互いに対面した、リング部材１５のボール保持穴４１，４１，・・・とリング部材１６のボール保持穴４２，４２，・・・の間に、軸受ボール４０，４０，・・・がそれぞれ装入されている。
【００１７】
これにより、固定側のリング部材１５に対しリング部材１６が水平回転するようになっている。リング部材１６には既述した横梁４５，４５，・・・の末端がそれぞれ固着されている。すなわち、ボール保持穴４１，４１，・・・を有するリング部材１５と、ボール保持穴４２，４２，・・・を有するリング部材１６と、軸受ボール４０，４０，・・・とから、横梁４５，４５，・・・に固定された二階床部６Ａおよび一階床部８Ａを竪柱体３に回動自在に枢支する軸受部４が構成される。一方、リング部材１６の内周面には全周にわたって内周歯４４が形成されている。竪柱体３には減速機付きモータ３９（回転駆動源の例）が固設されており、減速機付きモータ３９の回転駆動軸にピニオン４３が固定されている。このピニオン４３は内周歯４４と噛合してリング部材１６および横梁４５，４５，・・・を回転させる。すなわち、一階床部８Ａは、二階床部６Ａまたは吊持材１０と、横梁４５と、軸受部４を介して、減速機付きモータ３９と駆動連結されている。
【００１８】
一階床部８Ａの床板８上には、図４に示すように、適宜基数のテーブルセット２０，２１，２２が設置されている。二階床部６Ａの床板６上にも、適宜基数のテーブルセット２０が設置されている。
テーブルセット２０は、図５に示すように、床板６，８上に固定される基台２５に立設された脚部２４上に支持固定された平面視円形状の飲食テーブル２３と、飲食テーブル２３の周囲に置かれるイス３８とからなっている。
テーブルセット２１は、図６に示すように、「床板上で水平回転する、いわゆるコーヒーカップ遊具」の外殻に似た本体２６を備え、この本体２６が床板８上に固定されている。本体２６内のほぼ中央部には脚部２９が立設されており、脚部２９の上部に平面視円形状の飲食テーブル２８が載置固定され、飲食テーブル２８の周囲に平面視Ｃ字状のイス２７が配備されている。
テーブルセット２２は、図７に示すように、「床板上で上下揺動する、いわゆる馬車遊具」の外殻に似た本体３０を備え、この本体３０が床板８上に基台３４を介して固定されている。本体３０内のほぼ中央部には脚部３３が立設されており、脚部３３の上部に平面視矩形状の飲食テーブル３２が載置固定され、飲食テーブル３２をはさんで２つのイス３１，３１が配備されている。かかるテーブルセット２２は床板８上に例えば合計４基が配備され、そのうち２基ずつが背中合わせで基台３４上に設置されている。
【００１９】
一階床部８Ａには例えば２基の給仕所３５，３５が配備されており、二階床部６Ａに１基の給仕所３５が配備されている。各給仕所３５は、図８に示すように、紅茶、コーヒー、ジュースなどの飲料やケーキ、サンドイッチ、スナックなどの食品を提供するカウンター３７付きの店舗本体３６からなっている。給仕所３５における飲食物の提供態様は、現金との交換による提供、給仕所３５のチケット販売機で購入したチケットとの交換による提供、または、カフェ店装置１外のチケット販売機で購入したチケットとの交換による提供など、様々な態様が含まれる。そして、一階床部８Ａの床板８の周りに複数の柵１８，１８，・・が周方向に離間配置され、それぞれの棚１８間は利用客用の出入口１９となっている。
【００２０】
前記した構成のカフェ店装置１は、例えばショッピングモール内にある催し物広場の床Ｇ上に設置される。そこで、減速機付きモータ３９が起動するとピニオン４３が回転し、リング部材１６および横梁４５，４５，・・・を回転させる。これにより、二階床部６Ａおよび一階床部８Ａが一体で竪柱体３の柱軸心Ｑ回り（例えば図４中の矢印Ｒ方向）に回転する。これら床部６Ａ，８Ａの回転速度は特に限定するものでないが、利用客が落ち着いた気分で飲食できるよう、例えば１周２〜５分間程度の速さに設定しておくことが望ましい。そこで、利用客は出入口１９から入店して一階床部８Ａに乗り込み、一階床部８Ａまたは一階床部６Ａの給仕所３５で紅茶やケーキなどの飲食物を購入する。そして、テーブルセット２０，２１，２２のイス３８，２８，３１に座って、つかの間の休憩を楽しむのである。
【００２１】
上記したように、本実施形態のカフェ店装置１によれば、利用客が一階床部８Ａおよび二階床部６Ａの給仕所３５で飲食物を購入することができ、飲食テーブル２３，２８，３２で休憩をとって飲食することができる。このとき、一階床部８Ａおよび二階床部６Ａはゆっくりと水平回転するので、利用客は飲食しながら、変化する四方の景色を楽しむことができる。また、二階床部６Ａは展望がよく人ごみを遠方まで見渡せるので、人の居場所を素早く知ることができる。すなわち、利用客からも人ごみ内の相手からも相互に見つけやすいのである。例えば、買い物の合間にカフェ店装置１で親が休憩をとっているときでも、カフェ店装置１の周りで遊んでいる子供をしっかり監視することができる。子供側からも親の居場所を確認しやすいため、安心して遊ぶことができる。そして、このカフェ店装置１は比較的高さがあるうえ賑やかな電飾屋根１１を備えているので、遠くからでも目立つ。従って、シンボル的なモニュメントの代わりとなり、人が多く集まる場所で格好の待ち合わせ場所となる。
【００２２】
尚、上記した実施形態では、一階の床板８よりも小さな床板６を二階に用いた例を示したが、床板８とほぼ同じ形状、大きさに形成した床板６を二階に用いることも可能である。その場合は、二階床部６Ａを広くとることができる。また、階段１７を床板６，８の周方向に沿って配備するも可能となり、テーブルセット２０，２１，２２や給仕所３５を融通性よく配置することができる。
【００２３】
また、上記ではカフェ店装置１をショッピングモール内に設置したが、本考案のカフェ店装置はその設置場所を特に限定しない。例えば、ショッピングモール外、ホームセンター内外、商店街の中心部、駅コンコース、遊園地などのように、人が多数集まる場所に設置すると効果的である。
【図面の簡単な説明】
【００２４】
【図１】本考案の一実施形態に係るカフェ店装置の正面図である。
【図２】前記カフェ店装置の内部構造を示す構成図である。
【図３】前記カフェ店装置に用いた軸受部を示す一部断面を含む部分拡大図である。
【図４】前記カフェ店装置の一階床部および二階床部を示す平面図である。
【図５】前記カフェ店装置に用いたテーブルセットの一例を示す側面図である。
【図６】前記カフェ店装置に用いたテーブルセットの別例を示す側面図である。
【図７】前記カフェ店装置に用いたテーブルセットの他例を示す側面図である。
【図８】前記カフェ店装置に用いた給仕所の正面図である。
【符号の説明】
【００２５】
１      カフェ店装置
３      竪柱体
４      軸受部
６      床板
６Ａ    二階床部
８      床板
８Ａ    一階床部
１３    周回レール
１４    コロ
２３，２８，３２  飲食テーブル
３５    給仕所
３９    減速機付きモータ（回転駆動源）
４５    横梁
Ｇ      床
Ｑ      柱軸心
【図１】
0003105584.tif 000003
【図２】
0003105584.tif 000004
【図３】
0003105584.tif 000005
【図４】
0003105584.tif 000006
【図５】
0003105584.tif 000007
【図６】
0003105584.tif 000008
【図７】
0003105584.tif 000009
【図８】
0003105584.tif 000010